(57)【特許請求の範囲】
【請求項１】
複数のアンテナで受信された各々のブランチ受信信号の遅延プロファイルを作成する遅延プロファイル作成手段と、この手段で作成された各遅延プロファイル信号におけるピークを検出するピーク検出手段と、この手段で検出されたピークの中から最大ピークを各々の遅延プロファイル信号において求め、この最大ピーク同士の遅延差を任意数平均化して遅延差を求める遅延差平均処理手段と、を具備することを特徴とする無線受信装置。
【請求項２】
各遅延プロファイル信号の内、位相の進んだ遅延プロファイル信号を遅延差に応じて遅延させることにより前記各遅延プロファイル信号の位相を同相とする遅延手段と、前記同相となった各遅延プロファイル信号を合成するプロファイル合成手段とを具備することを特徴とする請求項１記載の無線受信装置。
【請求項３】
プロファイル合成手段での合成で得られた合成遅延プロファイル信号からピーク位相を検出するパスサーチ手段と、前記ピーク位相を前記遅延差分ずらしたタイミングを、各々のブランチ受信信号の復調タイミングとする受信タイミング決定手段とを具備することを特徴とする請求項２記載の無線受信装置。
【請求項４】
受信タイミング決定手段は、各々のブランチ受信信号が拡散信号である場合に、ピーク位相を遅延差分ずらしたタイミングを、前記各々のブランチ受信信号の逆拡散タイミングとすることを特徴とする請求項３記載の無線受信装置。
【請求項５】
複数のアンテナで受信された各々のブランチ受信信号の遅延プロファイルを作成する遅延プロファイル作成手段と、この手段で作成された各遅延プロファイル信号におけるピークの中から最大ピークを各々の遅延プロファイル信号において求め、この最大ピーク同士の遅延差を任意数平均化して遅延差を求め、前記各遅延プロファイル信号の内、位相の進んだ遅延プロファイル信号を前記遅延差に応じて遅延させることにより前記各遅延プロファイル信号の位相を同相として合成する遅延差検出プロファイル合成手段と、この手段での合成で得られた合成遅延プロファイル信号からピーク位相を検出するパスサーチ手段と、前記ピーク位相を前記各々のブランチ受信信号の復調タイミングとするフィンガアサイン手段と、前記復調タイミングで復調される前記各々のブランチ受信信号の内、位相の進んだブランチ受信信号を前記遅延差に応じて遅延させることにより前記各々のブランチ受信信号の位相を同相とする第２遅延手段を具備することを特徴とする無線受信装置。
【請求項６】
複数のアンテナで受信された各々のブランチ受信信号を、後記第２遅延手段で同相とした受信信号を入力とし、遅延プロファイルを作成する遅延プロファイル作成手段と、この手段で作成された各遅延プロファイル信号におけるピークの中から最大ピークを各々の遅延プロファイル信号において求め、この最大ピーク同士の遅延差を任意数平均化して遅延差を求めると共に、前記各遅延プロファイル信号を合成する遅延差検出プロファイル合成手段と、前記遅延プロファイル作成手段に入力される前記各々のブランチ受信信号の内、位相の進んだブランチ受信信号を前記遅延差に応じて遅延させることにより前記各々のブランチ受信信号の位相を同相とする第２遅延手段を具備することを特徴とする無線受信装置。
【請求項７】
プロファイル合成手段での合成で得られた合成遅延プロファイル信号からピーク位相を検出するパスサーチ手段と、前記ピーク位相を、各々のブランチ受信信号の復調タイミングとするフィンガアサイン手段とを具備することを特徴とする請求項５又は請求項６記載の無線受信装置。
【請求項８】
各遅延プロファイル信号のピーク検出時に同一パスと見なす範囲を規定し、この規定範囲でピーク検出を行うことを特徴とする請求項１，５，６いずれかに記載の無線受信装置。
【請求項９】
上位Ｎ番目までのピークを用いて平均化処理を行い遅延差を求めることを特徴とする請求項１，５，６記載の無線受信装置。
【請求項１０】
何れかのブランチ受信信号を遅延させる遅延手段と、遅延及び非遅延を切り替えて遅延プロファイル作成手段に入力する切り替え手段を具備し、遅延差の平均化処理を行う際に、前記遅延時に作成された遅延プロファイル信号のピークと、これに対応する他のブランチの遅延プロファイル信号のピークとの位相差と、この時の前記遅延時に作成された遅延プロファイル信号のピークの振幅情報とを記憶し、前記非遅延時に作成された遅延プロファイル信号のピークと、これに対応する他のブランチの遅延プロファイル信号のピークとの位相差と、この時の前記非遅延時に作成された遅延プロファイル信号のピークの振幅情報とを記憶し、振幅情報の大きい方に対応付けられた位相差を採用して平均化処理を行い遅延差を求めることを特徴とする請求項１又は請求項５記載の無線受信装置。
【請求項１１】
請求項１から請求項１０いずれかに記載の無線受信装置を具備することを特徴とする移動局装置。
【請求項１２】
請求項１から請求項１０いずれかに記載の無線受信装置を具備することを特徴とする基地局装置。
【請求項１３】
複数のアンテナで受信された各々のブランチ受信信号の遅延プロファイルを作成し、この作成された各遅延プロファイル信号におけるピークを検出し、この検出されたピークの中から最大ピークを各々の遅延プロファイル信号において求め、この最大ピーク同士の遅延差を任意数平均化して遅延差を求めることを特徴とする無線受信装置におけるブランチ間遅延差検出方法。
【請求項１４】
各遅延プロファイル信号の内、位相の進んだ遅延プロファイル信号を遅延差に応じて遅延させることにより前記各遅延プロファイル信号の位相を同相とし、この同相となった各遅延プロファイル信号を合成することを特徴とする請求項１３記載の無線受信装置におけるブランチ間遅延差検出方法。
【請求項１５】
合成処理で得られた合成遅延プロファイル信号からピーク位相を検出し、遅延差分、前記ピーク位相をずらしたタイミングを、各々のブランチ受信信号の復調タイミングとすることを特徴とする請求項１４記載の無線受信装置におけるブランチ間遅延差検出方法。
【請求項１６】
各々のブランチ受信信号の内、位相の進んだブランチ受信信号を遅延差に応じて遅延させることにより前記各々のブランチ受信信号の位相を同相とすることを特徴とする請求項１３記載の無線受信装置におけるブランチ間遅延差検出方法。
【発明の詳細な説明】
【０００１】
【発明の属する技術分野】
本発明は、ダイバーシチアンテナやアレイアンテナ等におけるブランチ間の受信信号遅延差を検出するものであり、移動体通信システムにおける携帯電話機や携帯電話機能及びコンピュータ機能を備えた情報通信端末装置等の移動局装置、及び移動局装置と無線通信を行う基地局装置等に適用される無線受信装置及び無線受信装置におけるブランチ間遅延差検出方法に関する。
【０００２】
【従来の技術】
複数アンテナを用いる無線受信装置において、ブランチ間で遅延プロファイルを合成する方式がパスサーチにおいて有効であることが知られている（ＲＣＳ９９−６７，１９９９−０７）。
【０００３】
しかし、アンテナ〜受信ベースバンド処理手段に到達するまでの遅延時間が、各ブランチ毎に異なる場合がある。これは、主に受信フィルタの遅延特性のばらつき等に起因する。このような場合、遅延プロファイル合成による効果が薄れ、劣化する場合もある。また、アレイアンテナを用いる無線受信装置において、各ブランチでの受信信号を合成した信号を用いて、遅延プロファイルを作成する構成をとる装置においては、同様の課題が存在する。
【０００４】
従来、その遅延差を検出する場合、第１の方法として、アンテナ直後に配置されたフィルタの処理時間及び、アンテナとベースバンド処理手段間の信号線の抵抗が起因する遅延時間を、各経路毎に測定し、その遅延差を求める方法がある。
【０００５】
第２の方法として、無線受信装置に基準信号をアンテナから入力し、ベースバンド処理手段に到達するための遅延時間を各経路毎に測定し、その遅延差を求める方法がある。
【０００６】
【発明が解決しようとする課題】
しかしながら、従来の装置において、第１の方法では、アンテナとベースバンド処理手段の間の各々の経路におけるフィルタの処理時間及び信号線の遅延時間を測定し、調整しなければならないため、工数がかかるという問題がある。また第２の方法においても、通常送受信を行う以外の基準信号を入力してアンテナとベースバンド処理手段の間の各々の経路における遅延時間を測定し、調整しなければならないので、干渉源となる可能性があり、またその間受信できないという問題がある。
【０００７】
本発明はかかる点に鑑みてなされたものであり、複数のアンテナとベースバンド処理手段間における各ブランチ間の受信信号の遅延差を自動で容易に検出することができる無線受信装置及び無線受信装置におけるブランチ間遅延差検出方法を提供することを目的とする。
【０００８】
【課題を解決するための手段】
本発明の無線受信装置は、複数のアンテナで受信された各々のブランチ受信信号の遅延プロファイルを作成する遅延プロファイル作成手段と、この手段で作成された各遅延プロファイル信号におけるピークを検出するピーク検出手段と、この手段で検出されたピークの中から最大ピークを各々の遅延プロファイル信号において求め、この最大ピーク同士の遅延差を任意数平均化して遅延差を求める遅延差平均処理手段と、を具備する構成を採る。
【０００９】
この構成によれば、複数のアンテナとベースバンド処理手段間における各ブランチ間の受信信号の遅延差を自動で容易に検出することができる。
【００１０】
本発明の無線受信装置は、上記構成において、各遅延プロファイル信号の内、位相の進んだ遅延プロファイル信号を遅延差に応じて遅延させることにより前記各遅延プロファイル信号の位相を同相とする遅延手段と、前記同相となった各遅延プロファイル信号を合成するプロファイル合成手段とを具備する構成を採る。
【００１１】
この構成によれば、ブランチ間の遅延差を容易に補正することができ、この補正によってブランチ間で遅延プロファイルを合成することができる。
【００１２】
本発明の無線受信装置は、上記構成において、  プロファイル合成手段での合成で得られた合成遅延プロファイル信号からピーク位相を検出するパスサーチ手段と、前記ピーク位相を前記遅延差分ずらしたタイミングを、各々のブランチ受信信号の復調タイミングとする受信タイミング決定手段とを具備する構成を採る。
【００１３】
この構成によれば、復調タイミングにおけるブランチ間の遅延差を容易に補正することができる。
【００１４】
本発明の無線受信装置は、上記構成において、受信タイミング決定手段は、各々のブランチ受信信号が拡散信号である場合に、ピーク位相を遅延差分ずらしたタイミングを、前記各々のブランチ受信信号の逆拡散タイミングとする構成を採る。
【００１５】
この構成によれば、逆拡散タイミングにおけるブランチ間の遅延差を容易に補正することができる。
【００１６】
本発明の無線受信装置は、複数のアンテナで受信された各々のブランチ受信信号の遅延プロファイルを作成する遅延プロファイル作成手段と、この手段で作成された各遅延プロファイル信号におけるピークの中から最大ピークを各々の遅延プロファイル信号において求め、この最大ピーク同士の遅延差を任意数平均化して遅延差を求め、前記各遅延プロファイル信号の内、位相の進んだ遅延プロファイル信号を前記遅延差に応じて遅延させることにより前記各遅延プロファイル信号の位相を同相として合成する遅延差検出プロファイル合成手段と、この手段での合成で得られた合成遅延プロファイル信号からピーク位相を検出するパスサーチ手段と、前記ピーク位相を前記各々のブランチ受信信号の復調タイミングとするフィンガアサイン手段と、前記復調タイミングで復調される前記各々のブランチ受信信号の内、位相の進んだブランチ受信信号を前記遅延差に応じて遅延させることにより前記各々のブランチ受信信号の位相を同相とする第２遅延手段を具備する構成を採る。
【００１７】
この構成によれば、複数のアンテナで受信された各々のブランチ受信信号の遅延差を容易に補正することができる。
【００１８】
本発明の無線受信装置は、複数のアンテナで受信された各々のブランチ受信信号を、後記第２遅延手段で同相とした受信信号を入力とし、遅延プロファイルを作成する遅延プロファイル作成手段と、この手段で作成された各遅延プロファイル信号におけるピークの中から最大ピークを各々の遅延プロファイル信号において求め、この最大ピーク同士の遅延差を任意数平均化して遅延差を求めると共に、前記各遅延プロファイル信号を合成する遅延差検出プロファイル合成手段と、前記遅延プロファイル作成手段に入力される前記各々のブランチ受信信号の内、位相の進んだブランチ受信信号を前記遅延差に応じて遅延させることにより前記各々のブランチ受信信号の位相を同相とする第２遅延手段を具備する構成を採る。
【００１９】
この構成によれば、遅延部の数を減らすことで回路規模を抑えつつ、複数のアンテナで受信された各々のブランチ受信信号の遅延差を容易に補正することができる。
【００２０】
本発明の無線受信装置は、上記構成において、プロファイル合成手段での合成で得られた合成遅延プロファイル信号からピーク位相を検出するパスサーチ手段と、前記ピーク位相を、各々のブランチ受信信号の復調タイミングとするフィンガアサイン手段とを具備する構成を採る。
【００２１】
この構成によれば、複数のアンテナで受信された各々のブランチ受信信号の復調タイミングを正確に求めることができる。
【００２２】
本発明の無線受信装置は、上記構成において、各遅延プロファイル信号のピーク検出時に同一パスと見なす範囲を規定し、この規定範囲でピーク検出を行う構成を採る。
【００２３】
この構成によれば、ある遅延プロファイル信号のピークに対応する他の遅延プロファイル信号のピークしか入らない規定範囲としてピーク検出を行えば、他の遅延プロファイル信号においてターゲットとなるピークよりも位相の離れた他のピークの振幅が大きい場合に、誤って他のピークとの平均化処理を行うといったことを無くすことができる。従って、平均化処理による遅延差を求める収束時間を短縮することができる。
【００２４】
本発明の無線受信装置は、上記構成において、上位Ｎ番目までのピークを用いて平均化処理を行い遅延差を求める構成を採る。
【００２５】
この構成によれば、遅延差平均時のサンプル数を増やすことができ、遅延差を求める収束時間を短縮することができる。
【００２６】
本発明の無線受信装置は、上記構成において、何れかのブランチ受信信号を遅延させる遅延手段と、遅延及び非遅延を切り替えて遅延プロファイル作成手段に入力する切り替え手段を具備し、遅延差の平均化処理を行う際に、前記遅延時に作成された遅延プロファイル信号のピークと、これに対応する他のブランチの遅延プロファイル信号のピークとの位相差と、この時の前記遅延時に作成された遅延プロファイル信号のピークの振幅情報とを記憶し、前記非遅延時に作成された遅延プロファイル信号のピークと、これに対応する他のブランチの遅延プロファイル信号のピークとの位相差と、この時の前記非遅延時に作成された遅延プロファイル信号のピークの振幅情報とを記憶し、振幅情報の大きい方に対応付けられた位相差を採用して平均化処理を行い遅延差を求める構成を採る。
【００２７】
この構成によれば、遅延手段の遅延量を遅延プロファイルのサンプリング間隔よりも細かい間隔に設定すれば、遅延プロファイルのサンプリング間隔よりも細かい間隔で遅延差を求めることが可能となる。
【００２８】
本発明の移動局装置は、上記いずれかと同構成の無線受信装置を具備する構成を採る。
【００２９】
この構成によれば、移動局装置において、上記いずれかと同様の作用効果を得ることができる。
【００３０】
本発明の基地局装置は、上記いずれかと同構成の無線受信装置を具備する構成を採る。
【００３１】
この構成によれば、基地局装置において、上記いずれかと同様の作用効果を得ることができる。
【００３２】
本発明の無線受信装置におけるブランチ間遅延差検出方法は、複数のアンテナで受信された各々のブランチ受信信号の遅延プロファイルを作成し、この作成された各遅延プロファイル信号におけるピークを検出し、この検出されたピークの中から最大ピークを各々の遅延プロファイル信号において求め、この最大ピーク同士の遅延差を任意数平均化して遅延差を求めるようにした。
【００３３】
この方法によれば、複数のアンテナとベースバンド処理手段間における各信号の遅延差を自動で容易に検出することができる。
【００３４】
本発明の無線受信装置におけるブランチ間遅延差検出方法は、上記方法において、各遅延プロファイル信号の内、位相の進んだ遅延プロファイル信号を遅延差に応じて遅延させることにより前記各遅延プロファイル信号の位相を同相とし、この同相となった各遅延プロファイル信号を合成するようにした。
【００３５】
この方法によれば、ブランチ間の遅延差を容易に補正することができ、この補正によってブランチ間で遅延プロファイルを合成することができる。
【００３６】
本発明の無線受信装置におけるブランチ間遅延差検出方法は、上記方法において、合成処理で得られた合成遅延プロファイル信号からピーク位相を検出し、遅延差分、前記ピーク位相をずらしたタイミングを、各々のブランチ受信信号の復調タイミングとするようにした。
【００３７】
この方法によれば、複数のアンテナで受信された各々のブランチ受信信号の復調タイミングを正確に求めることができる。
【００３８】
本発明の無線受信装置におけるブランチ間遅延差検出方法は、上記方法において、各々のブランチ受信信号の内、位相の進んだブランチ受信信号を遅延差に応じて遅延させることにより前記各々のブランチ受信信号の位相を同相とするようにした。
【００３９】
この方法によれば、複数のアンテナで受信された各々のブランチ受信信号の遅延差を容易に補正することができる。
【００４０】
【発明の実施の形態】
以下、本発明の実施の形態について、図面を参照して詳細に説明する。
【００４１】
（実施の形態１）
図１は、本発明の実施の形態１に係る無線受信装置の構成を示すブロック図である。
【００４２】
この図１に示す無線受信装置１００は、ダイバーシチアンテナ又はアレイアンテナ構成となっており、各アンテナとベースバンド処理手段間の複数経路の遅延差を自動で検出して補正するものであり、遅延プロファイル作成部１０１と、遅延差検出プロファイル合成部１０２と、パスサーチ部１０３と、フィンガアサイン部１０４と、逆拡散部１０５と、復調部１０６と、復号部１０７とを備えて構成されている。
【００４３】
これら構成要素１０１〜１０７は、ベースバンド処理手段内の入力側に配置されており、図示せぬ２本のアンテナで受信されたのちフィルタを介して送られてくる第１及び第２ブランチのアナログ受信信号をディジタル信号に変換するＡ／Ｄコンバータの後段に、遅延プロファイル作成部１０１が接続されている。
【００４４】
このような構成の動作を説明する。
【００４５】
遅延プロファイル作成部１０１は、第１及び第２ブランチ受信信号と既知信号との相関を取ることによって図２に示す遅延プロファイルを作成する。図２は第１及び第２ブランチの遅延プロファイルの信号波形を示すものである。
【００４６】
図２において、２０１が第１ブランチ遅延プロファイル信号（以下、第１遅延プロファイル信号という）であり、２０２が第２ブランチ遅延プロファイル信号（以下、第２遅延プロファイル信号という）である。
【００４７】
遅延差検出プロファイル合成部１０２は、遅延プロファイル作成部１０１で作成された第１及び第２遅延プロファイル信号の遅延差を検出すると共に、第１及び第２遅延プロファイル信号を合成した合成遅延プロファイル信号を形成するものであり、図３に示すように構成されている。
【００４８】
即ち、図３に示すように、ピーク検出部３０１と、遅延差平均処理部３０２と、遅延部３０３と、プロファイル合成部３０４とを備えて構成されている。
【００４９】
ピーク検出部３０１は、図２に示した第１及び第２遅延プロファイル信号２０１，２０２における各ピークを検出し、この検出した各ピークを遅延差平均処理部３０２へ出力する。
【００５０】
遅延差平均処理部３０２は、図２に示す第１及び第２遅延プロファイル信号２０１，２０２における最大ピーク同士の遅延差τを測定周期毎に任意数求め、この求められた各遅延差τを平均化することによって遅延差を求める。この遅延差は、遅延部３０３及びフィンガアサイン部１０４へ出力される。
【００５１】
遅延部３０３は、その遅延差に応じて第１遅延プロファイル信号を、第２遅延プロファイル信号と同位相となるように遅延させ、プロファイル合成部３０４へ出力する。
【００５２】
プロファイル合成部３０４は、同位相となった第１及び第２遅延プロファイル信号を合成し、この合成遅延プロファイル信号をパスサーチ部１０３へ出力する。
【００５３】
パスサーチ部１０３は、合成遅延プロファイル信号からピークの位相を検出し、フィンガアサイン部１０４へ出力する。
【００５４】
フィンガアサイン部１０４は、遅延差検出プロファイル合成部１０２から入力された遅延差によって、逆拡散部１０５に入力される第１及び第２ブランチ受信信号の遅延差を認識し、この遅延差分、パスサーチ部１０３からのピーク位相をずらしたタイミングを、第１及び第２ブランチ受信信号の逆拡散タイミングとして逆拡散部１０５に指示する。
【００５５】
逆拡散部１０５は、その逆拡散タイミングで第１及び第２ブランチ受信信号を逆拡散する。この逆拡散信号は、復調部１０６で復調された後、復号部１０７でレイク合成を伴って復号される。
【００５６】
このように、実施の形態１の無線受信装置１００によれば、遅延プロファイル作成部１０１で、各アンテナで受信された第１及び第２ブランチ受信信号の遅延プロファイルを作成し、ピーク検出部３０１で、第１及び第２遅延プロファイル信号におけるピークを検出し、遅延差平均処理部３０２で、そのピークの中から最大ピークを第１及び第２遅延プロファイル信号において求め、この最大ピーク同士の遅延差を任意数平均化して遅延差を求めるようにした。
【００５７】
これによって、複数のアンテナとベースバンド処理手段間における各ブランチ間の受信信号の遅延差を自動で容易に検出することができる。
【００５８】
また、遅延部３０３で、第１及び第２遅延プロファイル信号の内、遅延プロファイル信号を遅延差に応じて位相の進んだ遅延させることにより各遅延プロファイル信号の位相を同相とし、プロファイル合成部３０４で、その同相となった各遅延プロファイル信号を合成するようにした。
【００５９】
これによって、ブランチ間の遅延差を容易に補正することができ、この補正によってブランチ間で遅延プロファイルを合成することができる。
【００６０】
また、パスサーチ部１０３で、合成遅延プロファイル信号からピーク位相を検出し、フィンガアサイン部１０４で、上記遅延差分、そのピーク位相をずらしたタイミングを、第１及び第２ブランチ受信信号の逆拡散タイミングとするようにした。
【００６１】
これによって、逆拡散タイミングにおけるブランチ間の遅延差を容易に補正することができる。更に、フィンガアサイン時に遅延差補正を行うので、遅延差補正に関する回路規模を増加させることがない。
【００６２】
（実施の形態２）
図４は、本発明の実施の形態２に係る無線受信装置の構成を示すブロック図である。但し、この図２に示す実施の形態２において図１の実施の形態１の各部に対応する部分には同一符号を付し、その説明を省略する。
【００６３】
この図４に示す無線受信装置４００は、実施の形態１の構成要素である遅延プロファイル作成部１０１と、遅延差検出プロファイル合成部１０２と、パスサーチ部１０３と、逆拡散部１０５と、復調部１０６と、復号部１０７との他に、フィンガアサイン部４０１及び遅延部４０２を備えて構成されている。
【００６４】
このような構成において、遅延部４０２は、遅延差検出プロファイル合成部１０２から出力される遅延差に応じて、第１ブランチ受信信号を、第２ブランチ受信信号と同位相となるように遅延させ、逆拡散部１０５へ出力する。
【００６５】
フィンガアサイン部４０１は、パスサーチ部１０３からのピーク位相を、第１及び第２ブランチ受信信号の逆拡散タイミングとして逆拡散部１０５に指示する。
【００６６】
このように、実施の形態２の無線受信装置４００によれば、遅延部４０２で、第１及び第２ブランチ受信信号の内、位相の進んだブランチ受信信号を、遅延差検出プロファイル合成部１０２からの遅延差に応じて遅延させることにより、第１及び第２ブランチ受信信号の位相を同相とするようにした。
【００６７】
これによって、逆拡散部１０５に入力される、第１及び第２アンテナで受信された各々のブランチ受信信号の遅延差を容易に補正することができる。
【００６８】
（実施の形態３）
図５は、本発明の実施の形態３に係る無線受信装置の構成を示すブロック図である。但し、この図５に示す実施の形態３において図１の実施の形態１の各部に対応する部分には同一符号を付し、その説明を省略する。
【００６９】
この図５に示す無線受信装置５００は、実施の形態１の構成要素である遅延プロファイル作成部１０１と、遅延差検出プロファイル合成部１０２と、パスサーチ部１０３と、逆拡散部１０５と、復調部１０６と、復号部１０７との他に、フィンガアサイン部５０１及び遅延部５０２を備えて構成されている。但し、この実施の形態３においては遅延差検出プロファイル合成部１０２は、遅延部３０３を備えない構成となる。
【００７０】
このような構成において、遅延部５０２は、遅延差検出プロファイル合成部１０２から出力される遅延差に応じて、遅延プロファイル作成部１０１及び逆拡散部１０５に入力される第１ブランチ受信信号を、第２ブランチ受信信号と同位相となるように遅延させる。
【００７１】
フィンガアサイン部５０１は、パスサーチ部１０３からのピーク位相を、第１及び第２ブランチ受信信号の逆拡散タイミングとして逆拡散部１０５に指示する。
【００７２】
このように、実施の形態３の無線受信装置５００によれば、遅延部５０２で、遅延プロファイル作成部１０１に入力される第１及び第２ブランチ受信信号の内、位相の進んだブランチ受信信号を、遅延差検出プロファイル合成部１０２からの遅延差に応じて遅延させることにより、第１及び第２ブランチ受信信号の位相を同相とするようにした。
【００７３】
これによって、遅延部の数を減らすことで回路規模を抑えつつ、複数のアンテナで受信された各々のブランチ受信信号の遅延差を容易に補正することができる。
【００７４】
この他、上記実施の形態１〜３の構成要素である遅延差検出プロファイル合成部１０２において、ピーク検出部３０１で第１及び第２遅延プロファイル信号のピークを検出する際に、同一パスと見なす範囲を規定する窓を設定し、この窓に入った第１及び第２遅延プロファイル信号のピークを遅延差平均処理部３０２へ出力するようにしてもよい。
【００７５】
この場合、次のような効果が得られる。遅延プロファイル作成部１０１において、図６に示すような波形の第１ブランチ遅延プロファイル信号６０１及び第２ブランチ遅延プロファイル信号６０２が作成され、ピーク検出部３０１へ出力されたとする。
【００７６】
この場合に、第１遅延プロファイル信号６０１のピーク６０１−Ｐ１に対応する第２遅延プロファイル信号６０２のピークが６０２−Ｐ１であるとする。しかし、６０２−Ｐ１よりも離れたピーク６０２−Ｐ２の方が振幅が大きいので、遅延差平均処理部３０２において、誤って６０２−Ｐ２を６０１−Ｐ１に対応するピークと判断してしまうことがある。
【００７７】
そこで、６０１−Ｐ１に対応する６０２−Ｐ１しか入らない範囲の窓をピーク検出部３０１に設定してピーク検出を行えば、他の遅延プロファイル信号においてターゲットとなるピークよりも離れた他のピークの振幅が大きい場合に、誤って他のピークとの平均化処理を行うといったことを無くすことができる。従って、平均化処理による遅延差を求める収束時間を短縮することができる。
【００７８】
また、遅延差平均処理部３０２において、前述したように最大ピーク同士のみを用いて平均化処理を行い遅延差を求めるのではなく、２番目のピーク同士、３番目のピーク同士といった具合に、Ｎ番目のピーク同士を用いて平均化処理を行い遅延差を求めるようにしてもよい。この場合も、遅延差を求める収束時間を短縮することができる。
【００７９】
また、上位Ｎ番目までのピークが存在する区間の遅延プロファイルを用いて、ブランチ間のプロファイルの相関をとることで位相差を求め、平均化処理を行い遅延差を求るようにしてもよい。この場合も、遅延差を求める収束時間を短縮することができる。
【００８０】
また、図７に示すように、遅延プロファイル作成部１０１の入力側に接続される何れか一方のブランチ（ここでは第２ブランチ）の経路に、遅延部７０１及び切替スイッチ７０２を設ける。但し、遅延部７０１の遅延量は、遅延プロファイルのサンプリング間隔よりも小さくする。
【００８１】
切替スイッチ７０２を遅延部７０１側と、他方の非遅延側とに切り替える。この際に、遅延差平均処理部３０２において以下の処理を行う。遅延部７０１側で作成された第２遅延プロファイル信号のピークと、これに対応する第１遅延プロファイル信号のピークとの差と、この時の第２遅延プロファイル信号のピークの振幅情報とを記憶する。
【００８２】
同様に、非遅延側で作成された第２遅延プロファイル信号のピークと、これに対応する第１遅延プロファイル信号のピークとの差と、この時の第２遅延プロファイル信号のピークの振幅情報とを記憶する。
【００８３】
そして、振幅情報の大きい方に対応付けられた差を採用して平均化処理を行い、遅延差を求める。
【００８４】
これによって、遅延時の遅延量を遅延プロファイルのサンプリング間隔よりも細かい間隔に設定すれば、遅延プロファイルのサンプリング間隔よりも細かい間隔で遅延差を求めることが可能となる。例えば、図８に示すように、（ａ）と（ｂ）の波形を合成した（ｃ）のような細かい間隔の波形を得ることが可能となる。
【００８５】
【発明の効果】
以上説明したように、本発明によれば、複数のアンテナとベースバンド処理手段間における各ブランチ間の受信信号の遅延差を自動で容易に検出することができる。また、その遅延差を容易に補正することができる。
【図面の簡単な説明】
【図１】本発明の実施の形態１に係る無線受信装置の構成を示すブロック図
【図２】実施の形態１に係る無線受信装置の遅延プロファイル作成部で作成された第１及び第２ブランチの遅延プロファイル信号の波形図
【図３】実施の形態１に係る無線受信装置の遅延差検出プロファイル合成部の構成を示すブロック図
【図４】本発明の実施の形態２に係る無線受信装置の構成を示すブロック図
【図５】本発明の実施の形態３に係る無線受信装置の構成を示すブロック図
【図６】実施の形態１〜３の何れかに係る無線受信装置の遅延プロファイル作成部で作成された第１及び第２ブランチの遅延プロファイル信号の他の波形図
【図７】実施の形態１〜３の何れかに係る無線受信装置の他の構成の特徴箇所を示すブロック図
【図８】実施の形態１〜３の応用例の効果を説明するための波形図
【符号の説明】
１００，４００，５００  無線受信装置
１０１  遅延プロファイル作成部
１０２  遅延差検出プロファイル合成部
１０３  パスサーチ部
１０４，４０１，５０１  フィンガアサイン部
１０５  逆拡散部
１０６  復調部
１０７  復号部
３０１  ピーク検出部
３０２  遅延差平均処理部
３０３，４０２，５０２，７０１  遅延部
３０４  プロファイル合成部
２０１，６０１  第１ブランチ遅延プロファイル信号
２０２，６０２  第２ブランチ遅延プロファイル信号
【図１】
0003544644.tif 000002
【図２】
0003544644.tif 000003
【図３】
0003544644.tif 000004
【図４】
0003544644.tif 000005
【図５】
0003544644.tif 000006
【図６】
0003544644.tif 000007
【図７】
0003544644.tif 000008
【図８】
0003544644.tif 000009